【事件の表示】
　特願２０１２−１０２９６２「入力装置」拒絶査定不服審判事件〔平成２４年　９月１３日出願公開、特開２０１２−１７８１７０〕について、次のとおり審決する。
【結　論】
　本件審判の請求は、成り立たない。
【理　由】
１．手続の経緯・本願発明
　本願は、平成１９年６月２１日の出願である特願２００７−１６４２３４号の一部を、平成２４年４月２７日に新たな特許出願としたものであって、平成２５年２月４日付けで拒絶理由が通知され、同年４月１５日付けで手続補正がなされたが、同年１１月２０日付けで拒絶査定がなされ、それに対して、平成２６年２月２６日に拒絶査定不服審判の請求がなされたものである。
　そして、その請求項１に係る発明（以下、「本願発明」という。）は、平成２５年４月１５日付け手続補正書の特許請求の範囲の請求項１に記載された次のとおりのものと認める。
「ユーザの入力の受付範囲を示す有効エリアを表示する表示手段と、
　前記表示手段の前面に該表示手段と関連付けて配設されるタッチパネルと、
　前記有効エリアに対応する前記タッチパネルへの入力に応じて、前記ユーザが感知できる感知情報を発生する感知情報発生手段と、
　前記有効エリア内の中心領域への入力に対しては第１の感知情報を発生し、前記有効エリア内で前記中心領域を除く領域への入力に対しては、前記第１の感知情報とは異なる第２の感知情報を発生するように、前記感知情報発生手段を制御する制御手段と、
　を備えている入力装置。」
　
２．引用例
　原査定の拒絶の理由で引用された特開２００７−１１５１５７号公報（以下「引用例」という。）には、次の記載がある。
　
ａ．「【０００１】
  本発明は、キー操作感覚付与方法及び携帯情報装置に係り、より詳しくは、例えば携帯電話装置等、キー入力機構を有して構成される携帯情報装置の利用者に、振動子の振動によるキー操作感覚を付与するためのキー操作感覚付与方法、及び、このキー操作感覚付与方法を使用して、上記キー操作感覚を利用者認識可能に構成した携帯情報装置に関する。」（【０００１】の記載。）
　
ｂ．「【００２１】
  ［構成］
  図１には、一実施形態に係る携帯情報装置である携帯電話装置１０の外観構成が正面図にて概略的に示されている。図１に示されるように、この
携帯電話装置１０は、
１以上のキー表示領域１２Ａ
を有して構成された入力操作画面を表示するキー入力用表示部
１２と、
キー入力用表示部に表示された入力操作画面を視認可能な形態に外設されたデジタル出力が可能なタッチパネル
１３と、
タッチパネル１３を振動可能な
振動子１４と、
　
ｃ．「【００２３】
  携帯電話本体１１の内部構成は、図２の機能ブロック図にて示されている。図２に示されるように、（ｉ）
携帯電話装置１０全体の動作を統括制御
制御部２１と、
制御部２１の制御下で振動子１４を駆動する振動子駆動部
２６とを備え
【００２４】
  このうち、記憶部２５は、（ｉ）キー入力用表示部１２に表示すべき所要の入力操作画面に関する表示パターンを記憶する表示パターン記憶領域２５Ａと、（ii）
キー入力用表示部１２に表示された入力操作画面のキー表示領域１２Ａと対応してタッチパネル１３に割り付けられるべき１以上の感圧反応領域１３Ａ
【００２５】
  また、
制御部２１は、
前記タッチパネルの感圧反応領域１３Ａに対するタッチ操作を検出するタッチ位置検出部
２１Ｃと、
振動パターンを読み出す振動パターン読出部
２１Ｄとを備え
【００２６】
  表示パターン読出部２１Ａは、入力操作画面に関する表示パターンをキー入力表示部１２に表示する機能を有する。かかる表示に際して、表示パターン読出部２１Ａは、携帯電話装置１０の電源投入に伴う入力操作画面（初期画面）に関する表示パターン、又は、携帯電話装置１０の利用者からタッチパネル１３を通じて指定された所定の入力操作画面に関する表示パターンを、記憶部２５の表示パターン記憶領域２５Ａから読み出す。そして、表示パターン読出部２１Ａは、読み出された表示パターンをキー入力表示部１２に表示する。なお、表示パターン読出部２１Ａは、表示パターン記憶領域２５Ａから読み出された表示パターンに関する情報を感応領域パターン読出部２１Ｂに通知するようになっている。
【００２７】
  感応領域パターン読出部２１Ｂは、記憶部２５の感応領域パターン記憶領域２５Ｂから読み出し、これをタッチ位置検出部２１Ｃに通知する機能を有する。ここで、感応領域パターン読出部２１Ｂは、表示パターン読出部２１Ａから通知された上記表示パターンに関する情報に基づき、該当する入力操作画面におけるキー表示領域１２Ａの配置パターンと対応した感圧反応領域１３Ａを割り付けられてなる感応領域パターンを、記憶部２５の感応領域パターン記憶領域２５Ｂから読み出すようになっている。
【００２８】
  
タッチ位置検出部２１Ｃは、感圧反応領域１３Ａ内におけるタッチ操作の局所的位置を検出し、この検出結果を振動パターン読出部２１Ｄに通知
【００２９】
  振動パターン読出部２１Ｄは、振動パターン記憶領域２５Ｃから対応する振動パターンを読み出し、これを振動子駆動部２６に通知する機能を有する。なお、振動パターンの読出しに際して、
振動パターン読出部２１Ｄは、タッチ位置検出部２１Ｃから通知された上記タッチ操作の局所的位置についての検出結果に対応する振動パターンを読み出
【００３０】
  
振動子駆動部２６は、振動パターン読出部２１Ｄから通知された上記振動パターンに応じて振動子１４を駆動する
【００３１】
  なお、上記タッチ位置検出部２１Ｃには、タッチパネル１３上の感圧反応領域１３Ａに対する
タッチ操作が、
該当する感圧反応領域１３Ａの周縁部から中心部にかけてのいずれの局所的位置に対して行われたか
【００３２】
  以上のタッチ位置検出部２１Ｃ及び振動パターン読出部２１Ｄの機能につき、図３Ａ〜図３Ｃを参照しつつ、詳述する。ここで、図３Ａ〜図３Ｃには、それぞれ、キー入力用表示部１２に表示される通話／待受けモード時、シンプルモード時、及び、地図表示モード時の入力操作画面の例が示されている。
【００３３】
  図３Ａ及び図３Ｂに示される例においては、キー入力用表示部１２に表示された入力操作画面に、発信キー、クリアキー、切断キー、テンキー、割付キー等の複数のキー表示領域１２Ａが設定されている。このキー入力用表示部１２の有効表示面上方に重積して設けられたタッチパネル１３には、上記複数のキー表示領域１２Ａの配置パターンと対応した（合致した）複数の感圧反応領域１３Ａが割り付けられている。
【００３４】
  ここで、上記複数のキー表示領域１２Ａに対応する複数の感圧反応領域１３Ａに、上述した機能を具備させるには、例えば、テンキーや割付キー等のキー表示領域１２Ａに対する指定操作時に、該当する感圧反応領域１３Ａへのタッチ操作がその周縁部寄りの領域に対して行われた場合には、弱い振動がタッチパネル１３（振動子１４）に得られるよう振幅の小さい振動パターンを当該領域に対応づける。一方、タッチ操作がその中心部寄りの領域に対して行われた場合には、強い振動がタッチパネル１３に得られるよう振幅の大きい振動パターンを当該領域に対応づけるとよい。これにより、携帯電話装置１０の利用者に、より実際的なキークリック感（平面的ではないキークリック感）を付与することが可能となる。」（【００２３】〜【００３４】の記載。）
　
ｄ．「【００３８】
  まず、携帯電話装置１０の利用者が、例えば、上述の図３Ａや図３Ｂに示される
キー入力用表示部１２上の
キー表示領域１２Ａを指定操作するために、その有効表示面上方のタッチパネル１３に割り付けられた該当する感圧反応領域１３Ａに対してタッチ操作を行った場合
【００３９】
  利用者が上記タッチ操作を行うと、まず、携帯電話装置１０の制御部２１における
タッチ位置検出部２１Ｃが、該当する感圧反応領域１３Ａにおける
を検出し、
【００４０】
  次に、振動パターン読出部２１Ｄは、タッチ位置検出部２１Ｃから通知された
上記タッチ操作の局所的位置についての検出結果が、
該当する感圧反応領域１３Ａの周縁部寄りの領域であった場合には、
当該領域に対応づけられた振幅の小さい振動パターンを読み出し、
所要の弱い振動がタッチパネル１３に得られるよう振動子１４を駆動する
【００４１】
  これに対し、タッチ位置検出部２１Ｃから通知された
上記タッチ操作の局所的位置についての検出結果が、
該当する感圧反応領域１３Ａの中心部寄りの領域であった場合
当該領域に対応づけられた振幅の大きい振動パターンを読み出し、
所要の強い振動がタッチパネル１３に得られるよう振動子１４を駆動する
【００４２】
  以上の結果、
タッチパネル１３は、タッチ操作が感圧反応領域１３Ａの周縁部寄りに行われたときには弱く、中心部寄りに行われたときには強く振動するようになり、これにより、携帯電話装置１０の利用者に対し、
立体的なキークリック感が付与される
　
　これら引用例の記載から、引用例には次の発明（以下、「引用発明」という。）が記載されているものと認められる。
「携帯電話装置１０は、
　１以上のキー表示領域１２Ａを有して構成された入力操作画面を表示するキー入力用表示部１２と、
　キー入力用表示部に表示された入力操作画面を視認可能な形態に外設されたデジタル出力が可能なタッチパネル１３と、
　タッチパネル１３を振動可能な振動子１４と、
　携帯電話装置１０全体の動作を統括制御する制御部２１と、
　制御部２１の制御下で振動子１４を駆動する振動子駆動部２６とを備え、
　前記タッチパネル１３には前記キー入力用表示部１２に表示された入力操作画面のキー表示領域１２Ａと対応して１以上の感圧反応領域１３Ａが割り付けられ、
　前記制御部２１は、前記タッチパネルの感圧反応領域１３Ａに対するタッチ操作を検出するタッチ位置検出部２１Ｃと、振動パターンを読み出す振動パターン読出部２１Ｄとを備え、
　タッチ位置検出部２１Ｃは、感圧反応領域１３Ａ内におけるタッチ操作の局所的位置を検出し、この検出結果を振動パターン読出部２１Ｄに通知し、
　振動パターン読出部２１Ｄは、タッチ位置検出部２１Ｃから通知された上記タッチ操作の局所的位置についての検出結果に対応する振動パターンを読み出し、
　前記振動子駆動部２６は、振動パターン読出部２１Ｄから通知された上記振動パターンに応じて振動子１４を駆動するものであり、
　キー入力用表示部１２上のキー表示領域１２Ａを指定操作するために、その有効表示面上方のタッチパネル１３に割り付けられた該当する感圧反応領域１３Ａに対してタッチ操作を行った場合、
  タッチ位置検出部２１Ｃが、該当する感圧反応領域１３Ａにおけるタッチ操作が、該当する感圧反応領域１３Ａの周縁部から中心部にかけてのいずれの局所的位置に対して行われたかを検出し、
　上記タッチ操作の局所的位置についての検出結果が、該当する感圧反応領域１３Ａの周縁部寄りの領域であった場合には、当該領域に対応づけられた振幅の小さい振動パターンを読み出し、所要の弱い振動がタッチパネル１３に得られるよう振動子１４を駆動し、
  上記タッチ操作の局所的位置についての検出結果が、該当する感圧反応領域１３Ａの中心部寄りの領域であった場合には、当該領域に対応づけられた振幅の大きい振動パターンを読み出し、所要の強い振動がタッチパネル１３に得られるよう振動子１４を駆動することにより、
　タッチパネル１３は、タッチ操作が感圧反応領域１３Ａの周縁部寄りに行われたときには弱く、中心部寄りに行われたときには強く振動するようになり、これにより、携帯電話装置１０の利用者に対し、立体的なキークリック感が付与される、
　携帯電話装置１０。」
　
３．対比
　本願発明と引用発明を対比すると、次のことがいえる。
（１）引用発明は「キー表示領域１２Ａを有して構成された入力操作画面を表示するキー入力用表示部１２」を有し、「キー表示領域１２Ａ」に対応して「タッチパネル１３」には「感圧反応領域１３Ａ」が割り付けられ、「感圧反応領域１３Ａに対するタッチ操作」が検出されるものであるから、引用発明の「キー表示領域１２Ａ」はユーザの入力の受付範囲を示すものであり、本願発明の「ユーザの入力の受付範囲を示す有効エリア」に相当し、引用発明の「キー入力用表示部１２」は本願発明の「ユーザの入力の受付範囲を示す有効エリアを表示する表示手段」に相当する。
　
（２）引用発明の「タッチパネル１３」は「キー入力用表示部に表示された入力操作画面を視認可能な形態に外設され」るものであり、「キー入力用表示部１２に表示された入力操作画面のキー表示領域１２Ａと対応して１以上の感圧反応領域１３Ａが割り付けられ」るものであるから、本願発明の「前記表示手段の前面に該表示手段と関連付けて配設されるタッチパネル」に相当する。
　
（３）引用発明は「キー表示領域１２Ａ」と対応して割り付けられた「感圧反応領域１３Ａ」内におけるタッチ操作の局所的位置を検出して「振動子駆動部２６」により「振動子１４」を駆動し、「振動子１４」の駆動によるタッチパネルの振動により使用者に対しキークリック感が付与されるものであるから、引用発明の「振動子１４」及び「振動子駆動部２６」は、本願発明の「前記有効エリアに対応する前記タッチパネルへの入力に応じて、前記ユーザが感知できる感知情報を発生する感知情報発生手段」に相当する。
　
（４）引用発明は、「タッチ操作を行った場合、 タッチ位置検出部２１Ｃが、該当する感圧反応領域１３Ａにおけるタッチ操作が、該当する感圧反応領域１３Ａの周縁部から中心部にかけてのいずれの局所的位置に対して行われたかを検出し、」「上記タッチ操作の局所的位置についての検出結果が、該当する感圧反応領域１３Ａの中心部寄りの領域であった場合には、当該領域に対応づけられた振幅の大きい振動パターンを読み出し、所要の強い振動がタッチパネル１３に得られるよう振動子１４を駆動する」ものであり、「振動子１４」の駆動は、「制御部２１の制御下で」「振動子駆動部２６」が行うものである。
　ここで、引用発明の「感圧反応領域１３Ａ」は「キー表示領域１２Ａ」と対応して割り付けられたものであり、タッチ操作の局所的位置の検出は、「感圧反応領域１３Ａの周縁部から中心部にかけてのいずれの局所的位置に対して行われたかを検出」するから、引用発明の「感圧反応領域１３Ａの中心部寄りの領域」は、本願発明の「有効エリア内の中心領域」に相当する。
　また、「所要の強い振動がタッチパネル１３に得られるよう振動子１４を駆動する」ことは、「第１の感知情報を発生」するといい得ることである。
　したがって、引用発明において、「感圧反応領域１３Ａの中心部寄りの領域」にタッチ操作を検出した場合に、「制御部２１」が「振動子駆動部２６」を制御して、上記「所要の強い振動」が得られるように「振動子１４」を駆動することは、本願発明の「制御手段」が「前記有効エリア内の中心領域への入力に対しては第１の感知情報を発生」するように「前記感知情報発生手段を制御する」ことに相当する。
　
（５）引用発明は、「上記タッチ操作の局所的位置についての検出結果が、該当する感圧反応領域１３Ａの周縁部寄りの領域であった場合には、当該領域に対応づけられた振幅の小さい振動パターンを読み出し、所要の弱い振動がタッチパネル１３に得られるよう振動子１４を駆動」ものである。
　ここで、引用発明の「感圧反応領域１３Ａ」は「キー表示領域１２Ａ」に対応して設けられるものであり、タッチ操作の局所的位置の検出は、「感圧反応領域１３Ａの周縁部から中心部にかけてのいずれの局所的位置に対して行われたかを検出」するから、「感圧反応領域１３Ａ」内のタッチ操作であれば何れの位置へのタッチであってもタッチ操作が検出される必要があることは明らかであることと、「感圧反応領域１３Ａにおけるタッチ操作の局所的位置」は「中心部寄りの領域」と「周縁部寄りの領域」とに分けられていることを考え合わせれば、「感圧反応領域１３Ａの周縁部寄りの領域」は、「感圧反応領域１３Ａの中心部寄りの領域」以外の領域を指すものと認められ、本願発明の「有効エリア内で前記中心領域を除く領域」に相当する。
　また、「所要の弱い振動がタッチパネル１３に得られるよう振動子１４を駆動する」ことは、「第１の感知情報とは異なる第２の感知情報を発生」するといい得ることである。
　したがって、引用発明において、「感圧反応領域１３Ａの周縁部寄りの領域」にタッチ操作を検出した場合に、「制御部２１」が「振動子駆動部２６」を制御して、上記「所要の弱い振動」が得られるように「振動子１４」を駆動することは、本願発明の「制御手段」が「前記有効エリア内で前記中心領域を除く領域への入力に対しては、前記第１の感知情報とは異なる第２の感知情報を発生するように、前記感知情報発生手段を制御する」ことに相当する。
　
（６）上記（４）、（５）によれば、引用発明の「制御部２１」は、本願発明の「前記有効エリア内の中心領域への入力に対しては第１の感知情報を発生し、前記有効エリア内で前記中心領域を除く領域への入力に対しては、前記第１の感知情報とは異なる第２の感知情報を発生するように、前記感知情報発生手段を制御する制御手段」に相当する。
　
（７）引用発明の「携帯電話装置１０」は、「キー入力用表示部１２」「タッチパネル１３」を有するものであるから、本願発明の「入力装置」ともいい得る。
　
　以上のとおり、引用発明は、本願発明の全ての要件を備えており、本願発明と相違はなく一致する。
 
　したがって、本願発明は、引用例に記載された発明ということができる。
 　
４．むすび 
　以上のとおり、本願発明は、引用例に記載された発明であるから、特許法第２９条第１項第３号の規定により特許を受けることができない。
　したがって、本願は、他の請求項について検討するまでもなく、拒絶されるべきものである。
　よって、結論のとおり審決する。